(57)【要約】【課題】浴槽に横付けされた場合に、介助者が浴槽に近づき易く、行動範囲の制約も少ない入浴用搬送車を提供する。【解決手段】入浴用搬送車１は、車輪１１を有する台車部１０と、台車部１０に支持され、担架５０が載せられる担架台部２０と、担架台部２０を挟むように設けられる一対の水受盤３０ａ、３０ｂと、一対の水受盤３０ａ、３０ｂを展開姿勢と折畳み姿勢とに切り換え可能とする切換機構４０と、を備える。【選択図】図１２
2016171912.tif 000002
【特許請求の範囲】
【請求項１】
車輪を有する台車部と、
前記台車部に支持され、担架が載せられる担架台部と、
前記担架台部を挟むように設けられる一対の水受盤と、
前記一対の水受盤を展開姿勢と折畳み姿勢とに切り換え可能とする切換機構と、
を備えることを特徴とする入浴用搬送車。
【請求項２】
前記切換機構は、前記一対の水受盤を連動して動作させて前記展開姿勢と前記折畳み姿勢とに切り換え可能であることを特徴とする請求項１に記載の入浴用搬送車。
【請求項３】
前記折畳み姿勢は、前記一対の水受盤が互いに対面する状態であり、
前記展開姿勢は、前記折畳み姿勢になっている前記一対の水受盤を、当該一対の水受盤の並び方向に広げる姿勢であることを特徴とする請求項１又は２に記載の入浴用搬送車。
【請求項４】
前記展開姿勢は、前記担架台部に載せられた前記担架から落下する水を受ける姿勢であり、
前記折畳み姿勢は、前記展開姿勢から前記一対の水受盤が下方に向けて回動された姿勢であることを特徴とする請求項１から３のいずれか１項に記載の入浴用搬送車。
【請求項５】
前記展開姿勢では、前記一対の水受盤が前記担架台部から略水平方向に延出し、
前記折畳み姿勢では、前記一対の水受盤が前記担架台部から垂下することを特徴とする請求項１から４のいずれか１項に記載の入浴用搬送車。
【請求項６】
前記一対の水受盤を前記展開姿勢から前記折畳み姿勢に自動的に変更するための操作部を備えることを特徴とする請求項１から５のいずれか１項に記載の入浴用搬送車。
【請求項７】
前記操作部は、押圧されることによって前記一対の水受盤を前記展開姿勢から前記折畳み姿勢に自動的に変更することを特徴とする請求項６に記載の入浴用搬送車。
【請求項８】
前記操作部は、当該搬送車を所定の向きとして浴槽の側壁に近づけた場合に、前記水受盤よりも先に前記浴槽の側壁に当接する位置に設けられていることを特徴とする請求項７に記載の入浴用搬送車。
【発明の詳細な説明】
【技術分野】
【０００１】
本発明は入浴用搬送車に関する。
【背景技術】
【０００２】
従来、病人、老人、身体障害者等の介助が必要な者（要介助者）を入浴させる際に、入浴用搬送車が使用されている。入浴用搬送車は、例えば搬送や洗身の際などに使用される。従来の入浴用搬送車は、車輪を有する台車部と、該台車部上に設けられて担架を載せる担架載せ部と、該担架載せ部に載せられた担架からの落下水を受け止める水受盤と、を備えている（例えば特許文献１参照）。
【０００３】
特許文献１に開示される入浴用搬送車には、搬送車の長手方向の略中央部に、搬送車の短手方向への横断を可能とする空間部が設けられている。空間部が設けられる部分には、分断された２つの可動水受盤が備えられている。当該２つの可動水受盤は、介助者が空間部に入り込む場合には、水平状態から垂れ下がった状態にすることが可能に設けられている。
【０００４】
特許文献１の構成では、入浴用搬送車を浴槽に横付けして、搬送車から浴槽に担架をスライド移動する際、或いは、浴槽から搬送車に担架をスライド移動する際に、介助者は、２つの可動水受盤を垂下状にすることによって、水受盤に邪魔されることなく空間部に入り込める。このために、介助者は、浴槽に近づいて担架の出し入れを円滑に行うことができる。また、担架が担架載せ部に載せられた状態で移動を行う場合には、２つの可動水受盤を水平にすることで、担架からの落下水を水受盤で受けることができる。
【先行技術文献】
【特許文献】
【０００５】
【特許文献１】特開２０００−２２５１６６号公報
【発明の概要】
【発明が解決しようとする課題】
【０００６】
しかしながら、特許文献１の構成では、入浴用搬送車と浴槽との間で担架のやりとりを行う場合に、介助者は、台車部に設けられる踏み台に上る必要がある。このために、介助者の転倒の確率が高くなることが懸念される。また、特許文献１の構成では、搬送車の長手方向の中央部のみ浴槽に近づくことができる。換言すると、特許文献１の構成では、浴槽に近づいた介助者が浴槽に沿って動ける方向は限られており、要介助者の介助を十分に行えない可能性がある。
【０００７】
以上の点に鑑みて、本発明の目的は、浴槽に横付けされた場合に、介助者が浴槽に近づき易く、行動範囲の制約も少ない入浴用搬送車を提供することである。
【課題を解決するための手段】
【０００８】
上記目的を達成するために本発明の入浴用搬送車は、車輪を有する台車部と、前記台車部に支持され、担架が載せられる担架台部と、前記担架台部を挟むように設けられる一対の水受盤と、前記一対の水受盤を展開姿勢と折畳み姿勢とに切り換え可能とする切換機構と、を備える構成（第１の構成）になっている。
【０００９】
本構成によれば、一対の水受盤を折畳み姿勢にすることによって、担架台部を浴槽（浴槽装置であってもよい）の側壁の傍まで近づけることが可能になる。また、折畳み姿勢とすることによって、介助者は、水受盤に邪魔されることなく、更には段差を越えることなく浴槽に近づくことが可能になる。また、水受盤全体が折畳まれる構造であるために、介助者の行動範囲の制約を少なくできる。更に、例えば搬送時等には水受盤を展開姿勢とすることによって、担架台部に載せられた担架から落下する水を受け止めて床を濡らさないようにできる。
【００１０】
上記第１の構成の入浴用搬送車において、前記切換機構は、前記一対の水受盤を連動して動作させて前記展開姿勢と前記折畳み姿勢とに切り換え可能である構成（第２の構成）が好ましい。本構成によれば、一対の水受盤を纏めて展開姿勢と折畳み姿勢とに切り換えることができるために、切り換えを効率良く行える。
【００１１】
上記第１又は第２の構成の入浴用搬送車において、前記折畳み姿勢は、前記一対の水受盤が互いに対面する状態であり、前記展開姿勢は、前記折畳み姿勢になっている前記一対の水受盤を、当該一対の水受盤の並び方向に広げる姿勢である（第３の構成）のが好ましい。
【００１２】
上記第１から第３のいずれかの構成の入浴用搬送車において、前記展開姿勢は、前記担架台部に載せられた前記担架から落下する水を受ける姿勢であり、前記折畳み姿勢は、前記展開姿勢から前記一対の水受盤が下方に向けて回動された姿勢である（第４の構成）のが好ましい。
【００１３】
上記第１から第４のいずれかの構成の入浴用搬送車において、前記展開姿勢では、前記一対の水受盤が前記担架台部から略水平方向に延出し、前記折畳み姿勢では、前記一対の水受盤が前記担架台部から垂下する構成（第５の構成）であってよい。
【００１４】
上記第１から第５のいずれかの構成の入浴用搬送車は、前記一対の水受盤を前記展開姿勢から前記折畳み姿勢に自動的に変更するための操作部を備える（第６の構成）のが好ましい。本構成によれば、介助者は、操作部を操作するだけで簡単に展開姿勢から折畳み姿勢への変更ができる。このために、本構成によれば介助者の負担を軽減可能である。
【００１５】
上記第６の構成の入浴用搬送車において、前記操作部は、押圧されることによって前記一対の水受盤を前記展開姿勢から前記折畳み姿勢に自動的に変更する構成（第７の構成）であってよい。本構成においては、操作部としてボタンを採用することが可能である。
【００１６】
上記第７の構成の入浴用搬送車において、前記操作部は、当該搬送車を所定の向きとして浴槽の側壁に近づけた場合に、前記水受盤よりも先に前記浴槽の側壁に当接する位置に設けられている構成（第８の構成）であるのが好ましい。本構成によれば、浴槽の側壁を利用して、水受盤を展開姿勢から折畳み姿勢に自動的に変更できるので便利である。
【発明の効果】
【００１７】
本発明によれば、浴槽に横付けされた場合に、介助者が浴槽に近づき易く、行動範囲の制約も少ない入浴用搬送車を提供できる。
【図面の簡単な説明】
【００１８】
【図１】本発明の実施形態に係る入浴用搬送車の構成を示す概略斜視図
【図２】本発明の実施形態に係る入浴用搬送車の構成を示す概略側面図
【図３】本発明の実施形態に係る入浴用搬送車の構成を示す概略上面図
【図４】図３のＡ−Ａ位置における水受盤の概略断面図
【図５】図３のＢ−Ｂ位置における水受盤の概略断面図
【図６】図１に示す入浴用搬送車の一対の水受盤が折畳まれた状態を示す概略斜視図
【図７】本発明の実施形態に係る入浴用搬送車が備える担架台部及び一対の水受盤の概略下面図
【図８】一対の水受盤が展開姿勢である場合の切換機構の状態を示す概略平面図
【図９】図７における第１の支持部材周りの構成を拡大して示した概略平面図
【図１０】図９におけるＤ−Ｄ矢視図
【図１１】一対の水受盤が折畳み姿勢である場合の切換機構の状態を示す概略平面図
【図１２】本発明の実施形態に係る入浴用搬送車に担架が載せられた状態を示す概略側面図
【図１３】本発明の実施形態に係る入浴用搬送車を用いて要介助者を入浴させる場合の第１の状態を示す概略上面図
【図１４】本発明の実施形態に係る入浴用搬送車を用いて要介助者を入浴させる場合の第２の状態を示す概略正面図
【図１５】本発明の実施形態に係る入浴用搬送車を用いて要介助者を入浴させる場合の第３の状態を示す概略正面図
【図１６】本発明の実施形態に係る入浴用搬送車を用いて要介助者を入浴させる場合の第４の状態を示す概略上面図
【発明を実施するための形態】
【００１９】
以下、本発明の実施形態に係る入浴用搬送車について、図面を参照しながら詳細に説明する。本発明の実施形態に係る入浴用搬送車は、例えば、要介助者を運搬する際や、要介助者の洗身を行う際等に使用される。
＜入浴用搬送車の概略構成＞
【００２０】
図１は、本発明の実施形態に係る入浴用搬送車１の構成を示す概略斜視図である。図２は、本発明の実施形態に係る入浴用搬送車１の構成を示す概略側面図である。図３は、本発明の実施形態に係る入浴用搬送車１の構成を示す概略上面図である。図１から図３に示すように、入浴用搬送車１は、台車部１０と、担架台部２０と、一対の水受盤３０ａ、３０ｂと、を備えている。
【００２１】
台車部１０は、四隅に配置される車輪１１を備える。これにより、入浴用搬送車１は床面を走行可能になっている。台車部１０には、支柱１２が２つ立設されている。その他、台車部１０には、車輪１１をロックするロック手段や、入浴用搬送車１を浴槽装置（不図示）に連結するための連結手段等が設けられている。
【００２２】
担架台部２０は、２つの支柱１２、１２に支持されて台車部１０上に固定配置されている。担架台部２０は、上面視略長方形状に設けられ、細長く延びた形状になっている。担架台部２０の長手方向（図２、３において左右方向）の長さと、台車部１０の長手方向（図２、３において左右方向）の長さとは、同程度になっている。
【００２３】
担架台部２０の上面の長手方向の略中央部には、長手方向に間隔をあけて配置される一対のレール２１ａ、２１ｂが設けられている。担架台部２０上には、一対のレール２１ａ、２１ｂに沿って転がるローラーを備える担架（不図示）が必要に応じて載せられる。担架台部２０の上面には、担架台部２０に載せられた担架を一時的に固定するための一対の固定金具２２ａ、２２ｂも設けられている。
【００２４】
一対の水受盤３０ａ、３０ｂは、担架台部２０を挟んで略対称に設けられている。水受盤３０ａ、３０ｂは上面視略長方形状であり、その長手方向の長さは担架台部２０の長手方向の長さと同等になっている。一対の水受盤３０ａ、３０ｂは、厚み方向（図２において上下方向、図３において紙面と垂直な方向）に凹んだ構造を備えている。このために、一対の水受盤３０ａ、３０ｂは、担架等から落ちる水を受け止めて、床に水が落下するのを防止可能になっている。
【００２５】
図４は、図３のＡ−Ａ位置における水受盤３０ａ、３０ｂの概略断面図である。図５は、図３のＢ−Ｂ位置における水受盤３０ｂの概略断面図である。図４及び図５に示されるように、一対の水受盤３０ａ、３０ｂのそれぞれには、長手方向の略中央位置、且つ、短手方向の外部寄りに排水口３１が形成されている。排水口３１には、通常、排水栓３２が嵌め込まれており、水受盤３０ａ、３０ｂに溜まった水を排出する場合に、排水栓３２は外される。また、図４及び図５から理解されるように、水受盤３０ａ、３０ｂの水を溜める凹部の底面は、排水口３１に向かって高さが低くなる傾斜構造になっている。このために、水受盤３０ａ、３０ｂに溜まった水は、排水口３１から効率良く排出できる。
【００２６】
一対の水受盤３０ａ、３０ｂは、担架台部２０に回動可能に連結され、展開姿勢と折畳み姿勢とに切り換えられるようになっている。展開姿勢は、担架台部２０に載せられた担架から落下する水を受ける姿勢である。また、折畳み姿勢は、展開姿勢から一対の水受盤３０ａ、３０ｂが下方に向けて回動された姿勢である。
【００２７】
なお、図１から図３には、一対の水受盤３０ａ、３０ｂが展開姿勢である状態が示されている。また、図６は、一対の水受盤３０ａ、３０ｂが折畳み姿勢になった場合の状態を示している。以下、一対の水受盤３０ａ、３０ｂを展開姿勢と折畳み姿勢とに切り換え可能とする切換機構の詳細について説明する。
＜切換機構の詳細＞
【００２８】
図７は、本発明の実施形態に係る入浴用搬送車１が備える担架台部２０及び一対の水受盤３０ａ、３０ｂの概略下面（裏面）図である。図７に示すように、一対の水受盤３０ａ、３０ｂは、それぞれ、長手方向に間隔をあけて配置される２つの蝶番３３を介して、担架台部２０に回動可能に取り付けられている。また、担架台部２０及び一対の水受盤３０ａ、３０ｂの長手方向の一端部寄り（図７において右端部寄り）には、一対の水受盤３０ａ、３０ｂを展開姿勢と折畳み姿勢とに切り換え可能とする切換機構４０が設けられている。
【００２９】
図８は、一対の水受盤３０ａ、３０ｂが展開姿勢である場合の切換機構４０の状態を示す概略平面図である。なお、図８は、図７の矢印Ｃ方向に沿って切換機構４０を見た場合の図である。図８は、図７と比べて、切換機構４０等の上下が反転している。
【００３０】
図７及び図８に示すように、切換機構４０には、第１の水受盤３０ａに固定される第１の支軸３４ａに一端部が回動可能に連結される第１の支持部材４１ａが含まれている。また、切換機構４０には、第２の水受盤３０ｂに固定される第２の支軸３４ｂに一端部が回動可能に連結される第２の支持部材４１ｂが含まれている。第１の支持部材４１ａ及び第２の支持部材４１ｂは、断面視略Ｕ字形状になっている。また、第１の支持部材４１ａは、第２の支持部材４１ｂに比べて若干幅（図７において左右方向の長さ、図８において紙面と垂直な方向の長さ）が広く設けられている。
【００３１】
第１の支持部材４１ａ及び第２の支持部材４１ｂの他端部には、両者を連結するためのベロ部ＢＥが設けられている（図８参照）。２つの支持部材４１ａ、４１ｂのベロ部ＢＥ同士が重なり合い、当該重なり合った部分を貫くように連結軸４２が配置されることによって、第１の支持部材４１ａと第２の支持部材４１ｂとは回動可能に連結されている。なお、図８において、第２の支持部材４１ｂのベロ部ＢＥは、第１の支持部材４１ａのベロ部ＢＥに隠れて見えない。
【００３２】
展開姿勢では、第１の支持部材４１ａの底面と、第２の支持部材４１ｂの底面とがほぼ面一となり、第１の支持部材４１ａの底壁の一端面Ｅ１と、第２の支持部材４１ｂの底壁の一端面Ｅ２とが互いに対向した状態で当接する（図８参照）。展開姿勢では、第１の水受盤３０ａが第１の支持部材４１ａに及ぼす力と、第２の水受盤３０ｂが第２の支持部材４１ｂに及ぼす力とによって、端面同士Ｅ１、Ｅ２が互いに押し合った状態になる。この結果、第１の支持部材４１ａと第２の支持部材４１ｂとは回動することなく、水平姿勢を維持する。すなわち、一対の水受盤３０ａ、３０ｂを手等で支持しなくても、一対の水受盤３０ａ、３０ｂが展開姿勢となった状態が維持される。
【００３３】
図９は、図７における第１の支持部材４１ａ周りの構成を拡大して示した概略平面図である。図１０は、図９におけるＤ−Ｄ矢視図である。ただし、図１０は、図９と比べて、上下が反転している。
【００３４】
図９及び図１０に示すように、第１の水受盤３０ａの下面側においては、第１の水受盤３０ａに固定される第３の支軸３５に、押子４３が回動可能に取り付けられている。押子４３は、第１の水受盤３０ａに取り付けられる折畳みボタン４４が押されると、ワイヤー４７に引っ張られて回動するようになっている。ワイヤー４７が引っ張られて押子４３が回動すると、第１の支持部材４１ａは押子４３によって下方に押される。なお、折畳みボタン４４が押圧されていない場合には、押子４３はワイヤー４７によって引っ張られない構造になっている。
【００３５】
第１の支持部材４１ａが押子４３によって押圧されて回動すると、第１の支持部材４１ａの端面Ｅ１と第２の支持部材４１ｂの端面Ｅ２とが当接した状態が解除される。これにより、一対の水受盤３０ａ、３０ｂを展開姿勢で維持する力が得られなくなる。この結果、一対の水受盤３０ａ、３０ｂは、自重によって蝶番３３の支軸を中心として回動を開始し、図１１に示すような一対の水受盤３０ａ、３０ｂが互いに対面した折畳み姿勢になる。
【００３６】
図１１に示すように、折畳み姿勢では、２つの支持部材４１ａ、４１ｂは略Ｖ字形状になる。なお、２つの支持部材４１ａ、４１ｂが略Ｖ字形状になることに伴って、第１の支持部材４１ａは第１の支軸４３ａを中心として回動し、第２の支持部材４１ｂは第２の支軸４３ｂを中心として回動する。
【００３７】
図８及び図１１に示すように、担架台部２０の下面からはガイドバー４５が垂下している。展開姿勢から折畳み姿勢になる場合に、２つの支持部材４１ａ、４１ｂを連結する連結軸４２は、ガイドバー４５の長手方向に延在する開口４５ａにガイドされながら下降する。連結軸４２の下降は、開口４５ａの下端部と当接することによって規制される。展開姿勢から折畳み姿勢になるにあたって、一対の水受盤３０ａ、３０ｂは略９０°回動する。
【００３８】
図１１に示す折畳み姿勢から、一対の水受盤３０ａ、３０ｂのいずれか一方（或いは両方）を引き上げると、２つの支持部材４１ａ、４１ｂが略水平状態になり、展開姿勢を得ることができる。なお、本実施形態では、担架台部２０に渦巻き状に巻かれたバネ４６が配置され、連結軸４２の下降に伴いバネ４６の一部が下方に引き出される構造になっている。このバネ４６にアシストされて、折畳み姿勢にある一対の水受盤３０ａ、３０ｂを、その並び方向に広げて楽に展開姿勢にすることができる。
【００３９】
なお、本実施形態では、第２の支持部材４１ｂ側にも押子４３が設けられている。また、これに付随して、第２の水受盤３０ｂ側にも折畳み用ボタン４４が設けられている。本実施形態のように押子４３及び折畳み用ボタン４４を両側に設けると、入浴用搬送車１が浴槽装置（浴槽）の互いに対向する側壁のいずれにアプローチする場合にも、展開姿勢から折畳み姿勢に自動で変更できるために便利である（この意味は、後述する入浴用搬送車１の作用効果から、より明らかになる）。
【００４０】
また、本実施形態では、入浴用搬送車１の長手方向の両側面に突出した状態で設けられる折畳み用ボタン４４は、長手方向の両端部に設けられている。長手方向の一端部のみに設けられる構成としてもよいが、本実施形態のように複数設けても構わない。折畳み用ボタン４４は、本発明の操作部の一例である。
＜入浴用搬送車の作用効果＞
【００４１】
図１２は、本発明の実施形態に係る入浴用搬送車１に担架５０が載せられた状態を示す概略側面図である。担架５０は、入浴搬送車１上に分離可能に載せられる。担架５０の下面に設けられるローラー５１が、一対のレール２１ａ、２１ｂに沿って転がることによって、担架５０は、入浴用搬送車１に対して移動可能であり、入浴用搬送車１から分離できる。また、担架５０が入浴用搬送車１の所定の位置に載せられることによって、固定金具２２ａ、２２ｂによる担架５０の固定がなされる。固定金具２２ａ、２２ｂによる固定を解除する手段は、本実施形態では担架５０に設けられている。
【００４２】
展開姿勢では、一対の水受盤３０ａ、３０ｂが担架台部２０から略水平方向に延出する。展開姿勢では、一対の水受盤３０ａ、３０は、入浴用搬送車１の所定の位置に載せられた担架５０の広い範囲と重なるように、担架５０の下側に配置される。このために、一対の水受盤３０ａ、３０ｂは、担架５０から落下する水を受け止めて、床に水滴が落下することを防止できる。
【００４３】
次に、入浴用搬送車１を用いて要介助者を入浴させる場合を例に、入浴用搬送車１の作用効果について説明する。なお、ここでは、入浴用搬送車１が要介助者を入浴させるための各種の機能を備える浴槽装置とセットで使用される場合を例に説明する。
【００４４】
図１３は、本発明の実施形態に係る入浴用搬送車１を用いて要介助者を入浴させる場合の第１の状態を示す概略上面図である。図１４は、本発明の実施形態に係る入浴用搬送車１を用いて要介助者を入浴させる場合の第２の状態を示す概略正面図である。図１５は、本発明の実施形態に係る入浴用搬送車１を用いて要介助者を入浴させる場合の第３の状態を示す概略正面図である。図１６は、本発明の実施形態に係る入浴用搬送車１を用いて要介助者を入浴させる場合の第４の状態を示す概略上面図である。ここでは、第１の状態から第４の状態へと進むにつれて入浴介助が進むことを想定している。なお、図１３から図１６においては、担架５０に載った要介助者（入浴者）は省略されている。
【００４５】
図１３に示すように、まず、担架５０（要介助者が載っている）が載せられた入浴用搬送車１は、その長手方向が浴槽装置６０（浴槽）の長手方向と平行となる姿勢にされ、浴槽装置６０に近づけられる。なお、この状態では、一対の水受盤３０ａ、３０ｂは、展開姿勢になっている。
【００４６】
図１３に示す状態から入浴用搬送車１が浴槽装置６０に更に近づけられると、図１４に示すように、折畳み用ボタン４４が浴槽装置６０の側壁に当接する。折畳み用ボタン４４と浴槽装置６０の側壁とが当接した状態で、更に入浴用搬送車１を同方向に動かそうとすると、折畳み用ボタン４４が押圧された状態になる。
【００４７】
折畳み用ボタン４４が押圧されると、切換機構４０の作用によって、一対の水受盤３０ａ、３０ｂは、自動的に担架台部２０から垂下した状態になる（図１５参照）。浴槽装置６０の側壁の下部側には、台車部１０の一部が入り込めるように開口が形成されている。このために、一対の水受盤３０ａ、３０ｂが折畳み姿勢になると、担架台部２０を浴槽装置６０の側壁のすぐ傍まで近づけることができる。
【００４８】
担架台部２０が図１５に示すように浴槽装置６０の側壁のすぐ傍まで近づけられると、担架５０を、浴槽装置６０に備えられる担架台６１（図１３参照）に移動することが可能になる。なお、浴槽装置６０の担架台６１にも、一対のレール６２ａ、６２ｂ（図１３参照）が設けられている。このために、入浴用搬送車１から浴槽装置６０へと担架５０を移動できる。
【００４９】
入浴用搬送車１を挟んで浴槽装置６０の側壁に対向するように立つ介助者Ｋ（図１５に破線で示す）が担架５０を浴槽装置６０へと向けて押すことよって、担架５０は浴槽装置６０へと移動される。図１５に示すように、担架５０の移動は、一対の水受盤３０ａ、３０ｂが折畳み姿勢とされた状態で行われる。このために、介助者Ｋは、水受盤３０ａ、３０ｂに邪魔されることなく浴槽装置６０に近づきながら担架５０を移動することができる。また、一対の水受盤３０ａ、３０ｂのいずれもが垂下した状態になっているので、段差を乗り越えたりしなくても浴槽装置６０に十分近づくことができる。すなわち、介助者Ｋは、楽な姿勢で、担架５０の移動を行える。
【００５０】
図１６は、入浴用搬送車１から浴槽装置６０へと、担架５０の移送が完了した状態を示している。担架５０の移送が完了すると、架台６３に対して昇降可能に設けられる昇降浴槽部６４（図１４や図１５参照）が上昇され、担架５０に載った要介助者は、昇降浴槽部６４に溜められた湯に浸かることができる。要介助者が入浴している場合も、担架台部２０が浴槽装置６０の側壁に十分近づいているために、介助者は要介助者に近づいて介助作業を行い易い。また、要介助者に近づいた介助者は、自分の両サイドに水受盤が無いので、浴槽装置６０の側壁に沿う方向に少ない制約で動くことが可能である。すなわち、介助者は、要介助者の頭部や足先に近づいて介助作業を行い易い。
【００５１】
なお、出浴の場合（湯から出る場合）には、以上と逆の動作が行われる。浴槽装置６０から担架５０を入浴用搬送車１に移動する場合にも、介助者Ｋは浴槽装置６０に十分近づいて作業を行えるために、無理な姿勢をとることなく、担架５０の移送を行える。また、担架５０を入浴用搬送車１に戻した後においては、介助者Ｋは、バネ４６（図１１参照）のアシストを受けて、楽に一対の水受盤３０ａ、３０ｂを展開姿勢にできる。これにより、要介助者を載せた担架５０を入浴用搬送車１によって運搬する場合に、担架５０から水が床に落ちることを防止できる。
＜その他＞
【００５２】
以上に示した実施形態は、本発明の例示にすぎない。以上に示した実施形態の構成は、本発明の技術的思想を超えない範囲で適宜変更されて構わない。
【００５３】
例えば、以上に示した実施形態では、切換機構４０が、一対の水受盤３０ａ、３０ｂを連動して動作させて、展開姿勢と折畳み姿勢とに切り換えられるように構成した。しかし、これは一例にすぎない。例えば、切換機構は、一対の水受盤３０ａ、３０ｂのそれぞれを独立して動作させて、展開姿勢と折畳み姿勢とに切り換え可能とする構成であっても構わない。
【００５４】
また、切換機構の構成として、一対の水受盤３０ａ、３０ｂを連動して動作させて、展開姿勢と折畳み姿勢とに切り換えられる構成を採用する場合においても、以上に示した構成とは異なる構成が採用されても構わない。
【００５５】
また、以上に示した実施形態では、担架台部２０が台車部１０に対して固定された構造とした。しかし、これは一例にすぎない。例えば、担架台部２０は、台車部１０に昇降可能に支持されても構わない。なお、担架台部２０が昇降可能に支持される構造を採用する場合には、担架台部２０の位置によって、一対の水受盤３０ａ、３０ｂが折畳み姿勢にできる場合とできない場合とが選択されるようにしてもよい。
【００５６】
また、以上に示した折畳み用ボタン４４の設置位置や形状は例示にすぎない。折畳み用ボタン４４は、浴槽装置６０に近づけられた場合に、浴槽装置６０の側壁と当接しない位置に設けられても構わない。この場合は、例えば介助者が適当なタイミグでボタンを押せばよい。
【００５７】
また、以上では、一対の水受盤３０ａ、３０ｂを展開姿勢から折畳み姿勢に自動的に変更するための操作部をボタンとしたがこれは一例にすぎない。ボタンに代えて、例えばレバーやペダル等が採用されても構わない。
【符号の説明】
【００５８】
１      入浴用搬送車
１０    台車部
１１    車輪
２０    担架台部
３０ａ  第１の水受盤
３０ｂ  第２の水受盤
４０    切換機構
４４    折畳み用ボタン（操作部）
５０    担架
６０    浴槽装置（浴槽）
【図１】
2016171912.tif 000003
【図２】
2016171912.tif 000004
【図３】
2016171912.tif 000005
【図４】
2016171912.tif 000006
【図５】
2016171912.tif 000007
【図６】
2016171912.tif 000008
【図７】
2016171912.tif 000009
【図８】
2016171912.tif 000010
【図９】
2016171912.tif 000011
【図１０】
2016171912.tif 000012
【図１１】
2016171912.tif 000013
【図１２】
2016171912.tif 000014
【図１３】
2016171912.tif 000015
【図１４】
2016171912.tif 000016
【図１５】
2016171912.tif 000017
【図１６】
2016171912.tif 000018